(57)【特許請求の範囲】
【請求項１】
容器本体と、この容器本体を開閉する外蓋と、上記容器本体の内側に嵌合され、該容器本体内に収納部を隔成する中枠と、上記収納部内に着脱可能に収納される中皿と、この中皿を開閉する内蓋と、上記外蓋に形成され上記容器本体側に係脱自在に係合される第１フックと、上記容器本体に形成された切欠部に出没可能に配置され、操作されて第１フックの係合を解除するプッシュピースと、上記内蓋に形成され中皿に係脱自在に係合される第２フックと、上記内蓋と上記プッシュピースとの間に介設され、上記中枠の上面に形成された凹部に配置される平板部および該凹部に形成した開口部に挿通され該プッシュピースに連動される作動部を有し、該プッシュピースの係合解除操作に従って該第２フックと上記中皿との係合を解除する中間ピースとを備えたことを特徴とする化粧料容器。
【発明の詳細な説明】
【０００１】
【発明の属する技術分野】
本発明は、携帯容易に化粧料を収納する化粧料容器に関する。
【０００２】
【従来の技術】
一般に、化粧料の携帯用に化粧料容器が用いられるが、この化粧料容器は容器本体内に化粧料を収納すると共に、容器本体の後端部に開閉自在に蝶着される外蓋で容器本体上側を全体的に覆うようになっている。そして、容器本体と外蓋との前端部間に設けられるフック機構で外蓋の閉止状態が保持され、かつ、このフック機構を解除するための操作ボタンが容器本体の前端部から突出されるのが一般的な構造となっている。
【０００３】
ところで、この種の化粧料容器としては実開昭５８−４００３号公報に開示されるように、容器本体の収納部内に脱着可能な中皿を収納するようにしたものがある。即ち、上記中皿は皿状の容器に内蓋がヒンジ結合されることにより構成され、容器本体の外蓋が閉位置にあるときに内蓋が外蓋で押圧されて、内蓋の閉止状態が保持されるようになっている。従って、前記中皿は内蓋と外蓋との二重構造をもって閉止されるようになっているため、中皿内の化粧料が外方に漏れるのを確実に防止できるようになっている。
【０００４】
【発明が解決しようとする課題】
しかしながら、かかる従来の化粧料容器にあっては、中皿内の化粧料を使用する際に、まず容器本体の外蓋を開いた後に、この中皿の内蓋を開くという二度手間となり、従って、蓋体の開動時の操作性が不便であるという課題があった。
【０００５】
そこで、本発明はかかる従来の課題に鑑みて、外蓋と内蓋とを一度の操作で開けられるようにして、二重構造となった蓋体の開動操作性を容易にすることができる化粧料容器を提供することを目的とする。
【０００６】
【課題を解決するための手段】
かかる目的を達成するために請求項１に示す本発明の化粧料容器は、容器本体と、この容器本体を開閉する外蓋と、上記容器本体の内側に嵌合され、該容器本体内に収納部を隔成する中枠と、上記収納部内に着脱可能に収納される中皿と、この中皿を開閉する内蓋と、上記外蓋に形成され上記容器本体側に係脱自在に係合される第１フックと、上記容器本体に形成された切欠部に出没可能に配置され、操作されて第１フックの係合を解除するプッシュピースと、上記内蓋に形成され中皿に係脱自在に係合される第２フックと、上記内蓋と上記プッシュピースとの間に介設され、上記中枠の上面に形成された凹部に配置される平板部および該凹部に形成した開口部に挿通され該プッシュピースに連動される作動部を有し、該プッシュピースの係合解除操作に従って該第２フックと上記中皿との係合を解除する中間ピースとを備えた構成とする。
【０００７】
以上の構成により請求項１の化粧料容器は、外蓋の第１フックおよび内蓋の第２フックの係合により容器本体を開閉する外蓋および中皿を開閉する内蓋が共に閉止された状態でプッシュピースを操作することにより、第１フックを係合解除できると共に、中間ピースを介して第２フックをも係合解除することができる。従って、第１フックの係合解除で外蓋を開けることができ、かつ、第２フックの係合解除で内蓋を開けることができるため、これら外蓋および内蓋をプッシュピースの一度の操作で一挙に開けることが可能となり、二重構造となった蓋体の開動操作が著しく簡単になる。また、上記中皿と上記プッシュピースとの間に介設される中間ピースは、これら内蓋およびプッシュピースから独立した単品として構成しているので、中間ピースとプッシュピースとを異なる材質や色等で形成することができる。このため、プッシュピースを容器本体の材質や色等に合わせて形成することができると共に、中間ピースを容器本体内部の材質や色等に合わせて形成することができる。
【０００８】
【発明の実施の形態】
以下、本発明の実施形態を添付図面を参照して詳細に説明する。図１から図６は本発明の化粧料容器の一実施形態を示し、図１はレフィル容器の一部を断面して示す化粧料容器の分解斜視図、図２は外蓋および内蓋を閉止した図１中Ａ−Ａ線に対応する断面図、図３は外蓋および内蓋を閉止した図１中Ｂ−Ｂ線に対応する断面図、図４はプッシュピースの押し込み状態を示す図３に対応する断面図、図５は図３中Ｃ部の拡大断面図、図６は図４中Ｄ部の拡大断面図である。
【０００９】
本実施形態は基本的には、容器本体１０と、この容器本体１０を開閉する外蓋１６と、容器本体１０の内側に嵌合され、容器本体１０内に第１収納部１８ｂを隔成する中枠１８と、第１収納部１８ｂ内に着脱可能に収納されるレフィル容器２０の中皿２２と、この中皿２２を開閉する内蓋２６と、外蓋１６に形成され容器本体１０側に係脱自在に係合される第１フック３４と、容器本体１０に形成された切欠部１２ｅに出没可能に配置され、操作されて第１フック３４の係合を解除するプッシュピース２８と、内蓋２６に形成され中皿２２に係脱自在に係合される第２フック４０と、内蓋２６とプッシュピース２８との間に介設され、中枠１８の上面に形成された凹部１８ｈに配置される平板部４２ａおよび凹部１８ｈに形成した開口部１８ｉに挿通されプッシュピース２８に連動される作動部４２ｂを有し、プッシュピース２８の係合解除操作に従って第２フック４０と中皿２２との係合を解除する中間ピース４２とを備えて構成される。
【００１０】
即ち、本実施形態の化粧料容器１０は図１から図３に示すように、側壁１２ａと底面１２ｂとから略矩形状の皿状に形成される容器本体１２を備え、この容器本体１２の後方端部に第１蝶番１４を介して外蓋１６が開閉自在に蝶着される。上記容器本体１２の内側には中枠１８が嵌合され、この中枠１８によって容器本体１２内には左右に２つの収納部が隔成される。
【００１１】
上記中枠１８には左右方向略中央部に前後を指向して仕切り壁１８ａが形成され、この仕切り壁１８ａの左側に底部が開口された第１収納部１８ｂが形成されると共に、仕切り壁１８ａの右側に有底状の第２収納部１８ｃが形成される。上記中枠１８が容器本体１２内に嵌合された際、中枠１８の外周に形成された凸部１８ｄが、容器本体１２の側壁１２ａ内周にそれぞれ対応して形成された凹部１２ｃに着脱可能に係合されると共に、中枠１８の上端周縁部に形成されたフランジ部１８ｅが容器本体１２の側壁１２ａ上端面に当接されるようになっている。
【００１２】
上記中枠１８によって容器本体１２内が隔成された上記第１収納部１８ｂには、化粧料Ｐが装填されるレフィル容器２０が着脱可能に収納される。レフィル容器２０は、中皿２２と、この中皿２２に第２蝶番２４を介して開閉自在に蝶着される内蓋２６とを備え、上記第１収納部１８ｂ内に略密接して嵌合される。また、レフィル容器２０が第１収納部１８ｂ内に嵌合された際、中皿２２の外周に形成された凹部２２ａが、第１収納部１８ｂの内周にそれぞれ対応して形成された凸部１８ｆに着脱可能に係合される。
【００１３】
ところで、上記第１蝶番部１４が容器本体１２の後方端部に設けられるのに対して、上記第２蝶番２４は中皿２２の左側端部に設けられ、内蓋２６は左右方向に開閉される。また、上記第１収納部１８ｂが位置する容器本体１２の底面１２ｂには開口部１２ｄが形成され、この開口部１２ｄの下方から指を差し込む等することにより、第１収納部１８ｂに嵌合したレフィル容器２０の取り外しを容易にできるようになっている。
【００１４】
上記容器本体１２の側壁１２ａの前端部中央部分には、所定幅に亘る切欠部１２ｅが形成され、この切欠部１２ｅにプッシュピース２８が前後方向に出没可能に配置される。プッシュピース２８は断面矩形状の筒状に形成されるピース本体部分２８ａを備え、このピース本体部分２８ａは上記切欠部１２ｅと略等しい横幅に形成されて、この切欠部１２ｅ内に摺動可能に嵌合される。上記ピース本体部分２８ａの両側後方端部には一対の板ばね２８ｂが突設される。これら板ばね２８ｂは、ピース本体部分２８ａが切欠部１２ｅに配置された状態で、先端部が中枠１８の前側に当接され、ピース本体部分２８ａを前方に押し出す方向に付勢するようになっている。
【００１５】
上記外蓋１６の内側面には、開閉側先端部の中央部から第１係合凸部３０を形成した爪部３０ａが突設される一方、上記ピース本体部分２８ａの筒状部内側の後面に第２係合凸部３２が形成され、これら第１，第２係合凸部３０，３２によって第１フック３４が構成される。上記第１係合凸部３０は外蓋１６を閉止した際に、中枠１８のフランジ部１８ｅに形成した開口部１８ｇを介して図３に示すように上記第２係合凸部３２に係合され、この状態で外蓋１６の閉止状態が保持される。
【００１６】
一方、上記内蓋２６の内側面には上記外蓋１６と同様に、開閉側先端部の中央部から第３係合凸部３６が突設されると共に、中皿２２の右側面中央部に第４係合凸部３８が形成され、これら第３，第４係合凸部３６，３８によって第２フック４０が構成される。上記第３係合凸部３６は内蓋２６を閉止した際に上記第４係合凸部３８に係合され、この状態で内蓋２６の閉止状態が保持される。
【００１７】
ここで、図３に示すように上記内蓋２６と上記プッシュピース２８との間に、該プッシュピース２８の押し込み方向の移動を内蓋２６の持ち上げ方向の運動に変換する中間ピース４２が介在される。上記中間ピース４２は、内蓋２６の開閉側端部を延設した部分の下面に挿入される平板部４２ａと、該平板部４２ａの下側からＴ字状に垂設されて上記プッシュピース２８に連動される作動部４２ｂとからなる。上記平板部４２ａは中枠１８の上面に形成された凹部１８ｈに配置されると共に、上記作動部４２ｂは上記凹部１８ｈの底部に形成した開口部１８ｉに挿通される。一方、上記プッシュピース２８のピース本体部分２８ａの後側から連結竿２８ｃが突設され、この連結竿２８ｃの先端部に形成した係合穴２８ｄに上記作動部４２ｂの下端部が挿通される。
【００１８】
上記平板部４２ａの前端部下側には、図５に示すように突起状支点部４２ｃが突設され、中間ピース４２が上記凹部１８ｈに配置された際に、該突起状支点部４２ｃが上記凹部１８ｈの前端部に形成された凹部１８ｊに係合される。また、上記作動部４２ｂの下端部前側には鉤部４２ｄが形成され、この鉤部４２ｄが上記係合穴２８ｄの周縁部に形成した凹部２８ｅに係合される。このとき、上記連結竿２８ｃがピース本体部分２８ａに接続される部分には屈曲部２８ｆが形成され、連結竿２８ｃの若干の折り曲げが許容されるようになっている。
【００１９】
ところで、上記外蓋１６の内側面にはバニティーミラー４４が取付けられる一方、上記内蓋２６の上面には凸部２６ａが突設されており、外蓋１６を閉止した際に上記バニティーミラー４４が凸部２６ａを押圧して、内蓋２６の閉止状態が保持され、この内蓋２６の閉め忘れを防止できるようになっている。また、図１，図２に示すように上記内蓋２６の内側面には気密性能を保証するパッキン４６が取付けられている。
【００２０】
以上の構成により本実施形態の化粧料容器１０にあっては、外蓋１６およびレフィル容器２０の内蓋２６が閉止された状態では、図２に示すように内蓋２６の第２フック４０が係合状態にあり、かつ、図３に示すように外蓋１６の第１フック３４が係合状態にある。このようにして外蓋１６および内蓋２６を閉止することにより、レフィル容器２０に装填された化粧料Ｐの気密性を高めたり、化粧料Ｐがこぼれたりするのを防止することができる。第１，第２フック３４，４０が係合された状態では、プッシュピース２８は板ばね２８ｂの付勢力で突出状態にあり、該プッシュピース２８の連結竿２８ｃを介して連動される中間ピース４２は、平板部４２ａが内蓋２６の下側で水平状態となっている。
【００２１】
そして、化粧料容器１０の使用にあたって図４，図６に示すように、上記プッシュピース２８を板ばね２８ｂの付勢力に抗して押し込むと、まずプッシュピース２８のピース本体部分２８ａに係合された第１フック３４が係合解除されると共に、プッシュピース２８の連結竿２８ｃが中間ピース４２の作動部４２ｂ下端部を後方に押圧し、平板部４２ａを、これの突起状支点部４２ｃを中心にして上方に傾斜させる。すると、内蓋２６は平板部４２ａの傾斜によって持ち上げられ、第２フック４０が係合解除される。このとき、上記中間ピース４２は作動部４２ｂ下端部の鉤部４２ｄが連結竿２８ｃの凹部２８ｅに係合されているため、中間ピース４２が上方に抜脱されることはない。
【００２２】
このように、第１フック３４および第２フック４０が係合解除されることにより、外蓋１６および内蓋２６を手で開けることができ、レフィル容器２０内の化粧料Ｐを使用することができる。従って、本実施形態の化粧料容器１０では外蓋１６および内蓋２６を開ける際に、単一のプッシュピース２８の一度の押し込みによって外蓋１６，内蓋２６両者を順次開動することができるため、二重構造となった蓋体の開動操作性を著しく向上することができる。
【００２３】
ところで、本実施形態では上記内蓋２６と上記プッシュピース２８との間に介在される中間ピース４２は、これら内蓋２６およびプッシュピース２８から独立した単品として構成されているので、中間ピース４２とプッシュピース２８とを異なる材質や色等で形成することができる。このため、プッシュピース２８を容器本体１２の材質や色等に合わせて形成することができる一方で、中間ピース４２を容器本体１２内部の材質や色・質感等に合わせて形成することができる。殊にプッシュピース２８および中間ピース４２の材質を適宜選択できることは、例えば化粧料容器１０の設計上、フック解除部分の磨耗低減を確保できて耐久性を大幅に向上できるとともに、またプッシュピース２８および中間ピース４２の色を調整することにより、化粧料容器１０のデザインを多様化させることができる。
【００２４】
また、上記中間ピース４２を介在させたことにより、プッシュピース２８の押込み操作を適宜に増幅して平板部４２ａの傾斜によって内蓋２６を大きく持ち上げることができるため、第２フック４０の係合解除を確実に行うことができるようになる。
【００２５】
図７，図８は他の実施形態を示し、上記実施形態と同一構成部分に同一符号を付して重複する説明を省略して述べる。尚、図７は図５に対応する拡大断面図、図８は図６に対応する拡大断面図である。
【００２６】
即ち、この実施形態では図７に示すように中間ピース４２の平板部４２ａの前端部下側に、上記実施形態に示した突起状支点部４２ｃに代えて球状ないしは円筒状の支点部４２ｅを突設すると共に、上記平板部４２ａが配置される中枠１８の凹部１８ｈに上記支点部４２ｅの嵌合穴１８ｋを形成する。該嵌合穴１８ｋは上方を上記支点部４２ｅより小径に形成し、下方が該支点部４２ｅより大径となるように形成され、該嵌合穴１８ｋに嵌合された上記支点部４２ｅを中心として平板部４２ａが傾斜されるようになっている。一方、上記中間ピース４２の作動部４２ｂは上記実施形態のように鉤部４２ｄを形成することなく単に軸体状に形成され、連結竿２８ｃの係合穴２８ｄ内に挿通されている。
【００２７】
従って、この実施形態では図８に示すようにプッシュピース２８を押し込んで外蓋１６および内蓋２６を開ける際に、中間ピース４２は作動部４２ｂが連結竿２８ｃに押圧されて平板部４２ａが傾斜されるが、上記支点部４２ｅが嵌合穴１８ｋに嵌合されていることにより、中間ピース４２が上方に抜脱されるのが防止される。
【００２８】
【発明の効果】
以上説明したように本発明の請求項１に示す化粧料容器にあっては、容器本体と、この容器本体を開閉する外蓋と、上記容器本体の内側に嵌合され、該容器本体内に収納部を隔成する中枠と、上記収納部内に着脱可能に収納される中皿と、この中皿を開閉する内蓋と、上記外蓋に形成され上記容器本体側に係脱自在に係合される第１フックと、上記容器本体に形成された切欠部に出没可能に配置され、操作されて第１フックの係合を解除するプッシュピースと、上記内蓋に形成され中皿に係脱自在に係合される第２フックと、上記内蓋と上記プッシュピースとの間に介設され、上記中枠の上面に形成された凹部に配置される平板部および該凹部に形成した開口部に挿通され該プッシュピースに連動される作動部を有し、該プッシュピースの係合解除操作に従って該第２フックと上記中皿との係合を解除する中間ピースとを備えたので、外蓋の第１フックおよび内蓋の第２フックがそれぞれ閉止された状態でプッシュピースを操作することにより、外蓋の第１フックを係合解除できると共に、中間ピースを介して第２フックをも係合解除することができる。従って、第１フックの係合解除で外蓋を開けることができ、かつ、第２フックの係合解除で内蓋を開けることができるため、これら外蓋および内蓋をプッシュピースの一度の操作で一挙に開けることが可能となり、二重構造となった蓋体の開動操作を著しく簡単にすることができる。
【００２９】
また、上記中間ピースは内蓋およびプッシュピースから独立した単品として構成しているので、中間ピースとプッシュピースとを異なる材質や色等で形成することが可能となる。このため、プッシュピースを容器本体の材質や色等に合わせて形成することができると共に、中間ピースを容器本体内部の材質や色等に合わせて形成することができ、フック解除部分の耐久性を向上できたり、デザインの多様化を図ることができるという各種優れた効果を奏する。
【図面の簡単な説明】
【図１】本発明の一実施形態を示すレフィル容器の一部を断面した化粧料容器の分解斜視図である。
【図２】本発明の一実施形態を示す外蓋および内蓋を閉止した図１中Ａ−Ａ線に対応する断面図である。
【図３】本発明の一実施形態を示す外蓋および内蓋を閉止した図１中Ｂ−Ｂ線に対応する断面図である。
【図４】本発明の一実施形態を示すプッシュピースの押し込み状態の図３に対応する断面図である。
【図５】本発明の一実施形態を示す図３中Ｃ部の拡大断面図である。
【図６】本発明の一実施形態を示す図４中Ｄ部の拡大断面図である。
【図７】本発明の他の実施形態を示す図５に対応する拡大断面図である。
【図８】本発明の他の実施形態を示す図６に対応する拡大断面図である。
【符号の説明】
１０  化粧料容器
１２  容器本体
１６  外蓋
２０  レフィル容器
２６  内蓋
２８  プッシュピース
３４  第１フック
４０  第２フック
４２  中間ピース
４２ａ  平板部
４２ｂ  作動部
【図１】
0003868569.tif 000002
【図２】
0003868569.tif 000003
【図３】
0003868569.tif 000004
【図４】
0003868569.tif 000005
【図５】
0003868569.tif 000006
【図６】
0003868569.tif 000007
【図７】
0003868569.tif 000008
【図８】
0003868569.tif 000009